【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
レーザ光が照射されている試料からの光を検出して当該光の光量に応じた大きさのアナログ電気信号である検出信号を出力する検出手段と、
前記検出信号に基づいて前記試料の画像を生成する画像生成手段と、
前記検出信号の大きさの調整を行う調整手段と、
前記調整手段による調整の条件を設定する調整条件設定手段と、
前記試料の画像における前記調整の条件の対象範囲を設定する調整対象範囲設定手段と、
前記調整条件設定手段による前記調整の条件および前記調整対象範囲設定手段による前記対象範囲の表示を行う表示手段と、
前記調整条件設定手段で設定された前記調整の条件と前記調整対象範囲設定手段で設定された前記対象範囲とに基づいて前記調整手段における調整量の制御を行う制御手段と、
を有することを特徴とする走査型レーザ顕微鏡。
【請求項２】
前記画像生成手段は、前記検出手段からの前記検出信号をデジタルデータへ変換する変換手段を有しており、
前記調整の条件は、前記検出信号の大きさと前記変換手段の入力側に許容されている信号のダイナミックレンジとの関係を表すものである、
ことを特徴とする請求項１に記載の走査型レーザ顕微鏡。
【請求項３】
前記調整の条件は、前記画像の生成の基礎とする前記検出信号の取り得る大きさの最大値、若しくは前記ダイナミックレンジと当該最大値との比率を示す値であることを特徴とする請求項２に記載の走査型レーザ顕微鏡。
【請求項４】
前記調整の条件は、前記画像の生成の基礎とする前記検出信号の大きさの平均値を示す値、若しくは前記ダイナミックレンジと当該平均値との比率を示す値であることを特徴とする請求項２に記載の走査型レーザ顕微鏡。
【請求項５】
前記調整の条件を、前記画像の生成の基礎とする前記検出信号の取り得る大きさの最大値に関するものとするか、あるいは当該検出信号の大きさの平均値に関するものとするかを選択可能としたことを特徴とする請求項１に記載の走査型レーザ顕微鏡。
【請求項６】
前記調整の条件を、前記画像の１フレームの全体に関するものとするか、あるいは当該画像における一部分に関するものとするかを選択可能としたことを特徴とする請求項１に記載の走査型レーザ顕微鏡。
【請求項７】
前記調整の条件を、複数枚分の前記画像に関するものとすることを特徴とする請求項１に記載の走査型レーザ顕微鏡。
【請求項８】
レーザ光が照射されている試料からの光を検出部で検出して当該光の光量に応じた大きさのアナログ電気信号である検出信号を出力する走査型レーザ顕微鏡であって、当該走査型レーザ顕微鏡が有している当該検出部から出力される当該検出信号の大きさの調整の条件の設定と、前記試料の画像における前記調整の条件の対象範囲の設定を行い、
前記検出信号の大きさを調整する調整部の調整量を、設定された前記調整の条件と前記調整の条件の対象範囲とに基づいて制御する、
ことを特徴とする走査型レーザ顕微鏡の調整方法。
【請求項９】
レーザ光が照射されている試料からの光を検出部で検出して当該光の光量に応じた大きさのアナログ電気信号である検出信号を出力する走査型レーザ顕微鏡であって、当該走査型レーザ顕微鏡が有している当該検出部から出力される当該検出信号の大きさの調整の条件の設定と、前記試料の画像における前記調整の条件の対象範囲の設定を行う処理と、
前記検出信号の大きさを調整する調整部の調整量を、設定された前記調整の条件と前記調整の条件の対象範囲とに基づいて制御する処理と、
をコンピュータに行わせるためのプログラム。
【手続補正２】
【補正対象書類名】明細書
【補正対象項目名】００１２
【補正方法】変更
【補正の内容】
【００１２】
本発明の態様のひとつである走査型レーザ顕微鏡は、レーザ光が照射されている試料からの光を検出して当該光の光量に応じた大きさのアナログ電気信号である検出信号を出力する検出手段と、前記検出信号に基づいて前記試料の画像を生成する画像生成手段と、前記検出信号の大きさの調整を行う調整手段と、前記調整手段による調整の条件を設定する調整条件設定手段と、前記試料の画像における前記調整の条件の対象範囲を設定する調整対象範囲設定手段と、前記調整条件設定手段による前記調整の条件および前記調整対象範囲設定手段による前記対象範囲の表示を行う表示手段と、前記調整条件設定手段で設定された前記調整の条件と前記調整対象範囲設定手段で設定された前記対象範囲とに基づいて前記調整手段における調整量の制御を行う制御手段と、を有することを特徴とするものであり、この特徴によって前述した課題を解決する。
【手続補正３】
【補正対象書類名】明細書
【補正対象項目名】００１４
【補正方法】変更
【補正の内容】
【００１４】
また、前述した本発明に係る走査型レーザ顕微鏡において、当該調整の条件は、当該画像の生成の基礎とする当該検出信号の取り得る大きさの最大値、若しくは当該ダイナミックレンジと当該最大値との比率を示す値であるようにしてもよい。
【手続補正４】
【補正対象書類名】明細書
【補正対象項目名】００１５
【補正方法】変更
【補正の内容】
【００１５】
また、前述した本発明に係る走査型レーザ顕微鏡において、当該調整の条件は、当該画像の生成の基礎とする当該検出信号の取り得る大きさの最大値、若しくは当該ダイナミックレンジと当該最大値との比率を示す値であるようにしてもよい。
【手続補正５】
【補正対象書類名】明細書
【補正対象項目名】００１６
【補正方法】変更
【補正の内容】
【００１６】
また、前述した本発明に係る走査型レーザ顕微鏡において、当該調整の条件を、当該画像の生成の基礎とする当該検出信号の取り得る大きさの最大値に関するものとするか、あるいは当該検出信号の大きさの平均値に関するものとするかを選択可能としてもよい。
【手続補正６】
【補正対象書類名】明細書
【補正対象項目名】００１７
【補正方法】変更
【補正の内容】
【００１７】
また、前述した本発明に係る走査型レーザ顕微鏡において、当該調整の条件を、当該画像の１フレームの全体に関するものとするか、あるいは当該画像における一部分に関するものとするかを選択可能としてもよい。
【手続補正７】
【補正対象書類名】明細書
【補正対象項目名】００１８
【補正方法】変更
【補正の内容】
【００１８】
また、前述した本発明に係る走査型レーザ顕微鏡において、当該調整の条件を、複数枚分の当該画像に関するものとするようにしてもよい。
また、本発明の別の態様のひとつである走査型レーザ顕微鏡の調整方法は、レーザ光が照射されている試料からの光を検出部で検出して当該光の光量に応じた大きさのアナログ電気信号である検出信号を出力する走査型レーザ顕微鏡であって、当該走査型レーザ顕微鏡が有している当該検出部から出力される当該検出信号の大きさの調整の条件の設定と、前記試料の画像における前記調整の条件の対象範囲の設定を行い、前記検出信号の大きさを調整する調整部の調整量を、設定された前記調整の条件と前記調整の条件の対象範囲とに基づいて制御する、というものであり、この特徴によって前述した課題を解決する。
【手続補正８】
【補正対象書類名】明細書
【補正対象項目名】００５４
【補正方法】変更
【補正の内容】
【００５４】
例えば、図２の画面に対して「平均値『９０』％」の指定が入力されていた場合には、上記の範囲内の画素の各々の輝度に対応する検出信号の平均値が、Ａ／Ｄ変換部２１のダイナミックレンジの９０％であるか否かを判定する。